(57)【特許請求の範囲】
【請求項１】
電線・ケーブルの端部を相互に接続する電線・ケーブル接続用筐体において、
この接続用筐体が本体部と本体部の上方部分を開閉する開閉蓋部とから成り、
この筐体は、少なくとも入力線を導入する入力口と出力線を導出する出力口を有し、且つ、その内部には入力線の各導線端末部を接続する多数の入力側接続端子と、出力線の各導線端末部を接続する多数の出力側接続端子とが配備され、これら入力側接続端子と出力側接続端子とはそれぞれ相互に接続されており、
前記入力側接続端子のそれぞれに入力線の導線端末部を接続し、且つ出力側接続端子のそれぞれに出力線の導線端末部を接続することにより、電線・ケーブルのそれぞれの端部が相互に接続され、
前記入力側接続端子及び出力側接続端子のそれぞれが略Ｖ字形状の切込溝部(26)を有しており、この略Ｖ字形状の切込溝部(26)に入力線及び出力線の対応するそれぞれの導線端末部を上方から強制的に嵌合させることにより電線・ケーブルが相互に接続され、
前記切込溝部(26)の下方先端部が所定の一定幅の溝部(26m) を有し、この一定幅が接続される電線・ケーブルの導線の外径よりも小さく形成され、
前記入力側接続端子の所定数のものを１ユニットとしてブロック形状の入力側端子ブロック(23)を形成し、これら入力側端子ブロック(23)を本体部の長手方向と直交する方向に並列設置し、これと対称に、出力側接続端子の所定数のものを１ユニットとしてブロック形状の出力側端子ブロック(24)を形成し、これら出力側端子ブロック(24)を本体部(11)の長手方向と直交する方向に並列設置し、
前記入力側端子ブロック(23)及び出力側端子ブロック(24)のそれぞれの長手方向の両側の上端部(23u, 24u)に前記切込溝部(26)を列設し、これら入力側及び出力側端子ブロック(23, 24)の中央部に入力用及び出力用電線・ケーブルを配線して、これらの導線を内側から前記切込溝部(26)に嵌合できることを特徴とする電線・ケーブル接続用筐体。
【請求項２】
前記対称に配列された入力側端子ブロック(23)と出力側端子ブロック(24)の対称線(S) の側を他の部分よりも高い位置に配置したことを特徴とする請求項１に記載の電線・ケーブル接続用筐体。
【請求項３】
上記それぞれの入力側端子ブロック(23)及び出力側端子ブロック(24)の上端部に蓋部(30)を設け、それぞれの端子の切込溝部(26)の開口部を被覆したことを特徴とする請求項１又は２に記載の電線・ケーブル接続用筐体。
【発明の詳細な説明】
【技術分野】
【０００１】
本発明は、道路の路側等に配設された電線や電話線又は各種通信用ケーブル等々が何らかの原因により断線した際に、この断線部を容易に接続して修復し、復旧することができる電線・ケーブル接続用筐体に関するものである。
【背景技術】
【０００２】
従来、道路や鉄道等の路側に配線された電線・ケーブルが事故や故障等の何らかの原因により断線した際には、熟練技能者によって、断線部分の導線を相互に手によってひねり且つ半田付けを行い、手作業による断線の復旧接続作業が行われていた。
そのため、この作業には熟練技能者を必要とし、非常に多くの時間と手間を要していたのである。
【０００３】
他方、この種の電線・ケーブル接続用筐体に関連するものとしては、下記特許文献に記載のものを挙げることができる。
特許文献１に記載のものは、「架線端部接続用器具」に係る発明であり、架線の断線箇所を少ない人員で早急に仮復旧できるものである。
この発明は、導電性を有し、断線した架線の端部のそれぞれを挟持する一対の挟持部と、一対の挟持部に接続される導電体部と、一対の挟持部に接続されると共に伸縮自在に構成されたフレームと、フレームに連結され、フレームの伸縮状体を調整可能な張線器とを備えることを特徴とするものである。
【０００４】
特許文献２に記載のものは「端子接続装置」に関するものであって、ねじ止めを不要にし、電流容量を十分確保した電線の接続や取り外し作業が短時間で出来、事故等の復旧を短時間にできる着脱型端子台を提供することを課題とする。
その構成は、導電板を端子台に嵌合させることにより電気的に接続でき、端子台は、開放面を有する導電性箱状体と、この箱状体の側壁面に導電板に接続されたケーブルが出入可能な幅で箱状体の底面まで延びる切溝部とを有するものである。
【０００５】
特許文献３に記載の「電線仮接続工法及びその装置」は、災害、故障等で断線した電線をロープ巻上げ器の一方の電線拘持具と、巻上げ器のロープの先端の電線拘持具とに接続し、巻上げ器を駆動してロープを巻上げるだけで、両側の電線を近づけて所定の張りで仮接続可能とし、迅速かつ適確に停電の復旧を可能とするものである。
【先行技術文献】
【特許文献】
【０００６】
【特許文献１】特開２０１０−２３３３０２号公報
【特許文献２】特開２００２−３２９５３２号公報
【特許文献３】特開平６−２３３４２５号公報
【発明の概要】
【発明が解決しようとする課題】
【０００７】
上記従来技術と同様に、本願発明においても、道路或いは鉄道等の路側に配設されている電線・ケーブルが災害や事故等で断線した際に、容易にこの断線箇所を接続して修復し、早急な復旧を行うために開発されたものである。
また上記した通り、これらの電線・ケーブルが断線した際には、熟練技能者による手びねり・半田付けの手作業によって断線の修復が行われていたため、その作業には熟練技能者を必要とし、しかも非常に多くの時間と労力を要していたのである。
【０００８】
そこで、本発明においては、電話線、電線、ケーブル（以下単に「ケーブル」という。）が断線した際に、従来のような手作業（手ひねり・半田付け）による接続でなく、所定の簡易な接続用筐体を用いて、出来るだけ短時間で、しかも容易に且つ確実にケーブルを接続できるものを提供することをその課題としている。
このような接続用筐体として、やはり作業は修復作業者の手作業となるのではあるが、その際に熟練技能者を必要とせず、より簡単・確実に作業することができ、屋外の修復作業を考慮して筐体内部への雨水等の浸入の防止等をも考慮することなどもその課題となるのである。
【課題を解決するための手段】
【０００９】
本発明の第１のものは、電線・ケーブルを相互に接続する電線・ケーブル接続用筐体において、この接続用筐体が本体部と本体部の上方部分を開閉する開閉蓋部とから成り、この筐体は、少なくとも入力線を導入する入力口と出力線を導出する出力口を有し、且つ、その内部には入力線の各導線端末部を接続する多数の入力側接続端子と、出力線の各導線端末部を接続する多数の出力側接続端子とが配備され、これら入力側接続端子と出力側接続端子とはそれぞれ相互に接続されており、前記入力側接続端子のそれぞれに入力線の導線端末部を接続し、且つ出力側接続端子のそれぞれに出力線の導線端末部を接続することにより、電線・ケーブルのそれぞれの端部が相互に接続されることを特徴とする電線・ケーブル接続用筐体である。
【００１０】
本発明の第２のものは、上記第１の発明において、前記入力側接続端子及び出力側接続端子のそれぞれが略Ｖ字形状の切込溝部を有しており、この略Ｖ字形状の切込溝部に入力線及び出力線の対応するそれぞれの導線端末部を上方から強制的に嵌合させることにより電線・ケーブルが相互に接続されることを特徴とする電線・ケーブル接続用筐体である。
【００１１】
本発明の第３のものは、上記第２の発明において、前記切込溝部の下方先端部が所定の一定幅の溝部を有し、この一定幅が接続される電線・ケーブルの導線の外径よりも小さいことを特徴とする電線・ケーブル接続用筐体である。
【００１２】
本発明の第４のものは、上記第１乃至第３の何れかの発明において、前記入力側接続端子の所定数のものを１ユニットとしてブロック形状の入力側端子ブロックを形成し、これら入力側端子ブロックを本体部の長手方向と直交する方向に並列設置し、これと対称に、出力側接続端子の所定数のものを１ユニットとしてブロック形状の出力側端子ブロックを形成し、これら出力側端子ブロックを本体部の長手方向と直交する方向に並列設置したことを特徴とする電線・ケーブル接続用筐体である。
【００１３】
本発明の第５のものは、上記第４の発明において、前記入力側端子ブロック及び出力側端子ブロックのそれぞれの長手方向の両側の上端部に前記切込溝部を列設し、これら入力側及び出力側端子ブロックの中央部に入力用及び出力用電線・ケーブルを配線して、これらの導線を内側から前記切込溝部に嵌合できることを特徴とする電線・ケーブル接続用筐体である。
【００１４】
本発明の第６のものは、上記第４又は第５の発明において、前記対称に配列された入力側端子ブロックと出力側端子ブロックの対称線の側を他の部分よりも高い位置に配置したことを特徴とする電線・ケーブル接続用筐体である。
【００１５】
本発明の第７のものは、上記第４乃至第６のそれぞれの発明において、上記それぞれの入力側端子ブロック及び出力側端子ブロックの上端部に蓋部を設け、それぞれの端子の切込溝部の開口部を被覆したことを特徴とする電線・ケーブル接続用筐体である。
【発明の効果】
【００１６】
本発明の第１のものにおいては、先ず、その全体形状が箱体形状の筐体からなり、その筐体は本体部と開閉蓋部とから成り、断線したケーブル等は、この筐体内部の閉鎖空間内で接続されることなり、復旧後には雨水等の浸入の恐れが少ないものとなる。
接続作業は、開閉蓋部を開放して行うが、その際、断線したケーブル等の端部の絶縁被覆部を剥ぎ取り、内部の導線を露出させ、この導線を入力側及び出力側の導線接続用端子に順次容易に接続することが可能となり、従来のような導線部同士を手びねりで接続し、半田付けを行う作業と比較すれば、格段にその接続作業が容易と成り、作業時間の短縮、作業効率の向上に繋がることとなる。
【００１７】
本発明の第２のものにおいては、入力側接続端子及び出力側接続端子のそれぞれが略Ｖ字形状の切込溝部を有しており、この略Ｖ字形状の切込溝部に入力線及び出力線の対応するそれぞれの導線端末部を上方から強制的に嵌合させることにより断線したケーブル等が相互に接続されることとなる。
従って、ケーブル等の導線端末部を上方から押し込み嵌合すればよく、従来のように相互に手びねりで接続する作業に比較して格段に容易な作業と成り、作業時間の短縮と労力の削減となる。
【００１８】
本発明の第３のものにおいては、上記第２の発明と同じ効果を発揮するものであるが、切込溝部の形態をより限定したものである。
即ち、切込溝部の下方先端部に所定の一定幅の溝部を形成し、この一定幅を接続されるケーブル等の導線の外径よりも小さくしたことである。
これにより、ケーブル等の導線を前記切込溝部の下方先端部に嵌合するだけで、容易に導線端末部と入力側及び出力側接続端子とが接続されるのである。
【００１９】
本発明の第４のものにおいては、入力側及び出力側の接続端子の形態をより限定したものである。
即ち、これらの接続端子の形態を、所定数の接続端子を１ユニットとしたブロック（略直方体）形状の入力側端子ブロック及び出力側端子ブロックとして形成し、これら入力側端子ブロック及び出力側端子ブロックをそれぞれ本体部の長手方向と直交する方向にそれぞれ並列設置して、入力側端子ブロックと出力側端子ブロックとを中央の対称線を挟んで相互に対称に並列設置したものである。
これにより、入力線の側は一方の側に配置してブロック化して配線でき、他方の出力線の側も他方の側に配置してブロック化して配線することができ、配線・接続作業を容易なものとすることができる。
【００２０】
本発明の第５のものにおいては、配線・接続作業を容易化するための形態限定であり、即ち、入力側端子ブロック及び出力側端子ブロックのそれぞれの長手方向両側の上端部に切込溝部を列設し、これら入力側及び出力側端子ブロックの中央部に入力用及び出力用のケーブルを配線して、これらの導線をブロックの内側から前記切込溝部に嵌合できるようにしたものである。
これにより、入力側及び出力側の何れの側においても、ブロックの内部にケーブル等を配線し、その後両側の側縁上端部の切込溝部に導線を押し込み嵌合させて、簡単に接続することができるのである。
【００２１】
本発明の第６のものにおいても、接続作業効率を向上させるための形態限定であり、対称に配列された入力側端子ブロックと出力側端子ブロックの対称線の側を他の部分よりも高い位置に配置したものである。
これにより、配線・接続作業がより容易となる。即ち、手前側が低く、奥側が高い位置に切込溝部が配列されている為に、切込溝部内に導線を嵌合させ易いこととなるのである。
【００２２】
本発明の第７のものにおいては、それぞれの入力側端子ブロック及び出力側端子ブロックの上端部に蓋部を設け、それぞれの端子の切込溝部の開口部を被覆できるようにしたものである。
これにより、配線された後に端子ブロックの上端部の蓋部が閉鎖されることなり、防水の効果もより向上すると共に、ケーブル等の配線の固定、導線の切込溝部からの離脱等をも防止することができるのである。
【図面の簡単な説明】
【００２３】
【図１】本発明の電線・ケーブル接続用筐体に係る一実施形態の斜視図であって、その（Ａ）が開閉蓋部を取り除いた状態を示し、その（Ｂ）が開閉蓋部を取り付け固定した状態を示している。
【図２】上記実施形態における対称に配置された入力側端子ブロック及び出力側端子ブロックの１組の平面図である。
【図３】上記実施形態に係る１つの端子ブロックを図示した斜視図である。
【図４】図３中のＥ部の拡大側面図である。
【発明を実施するための形態】
【００２４】
以下、添付の図面と共に本発明の実施形態について説明する。
図１は、本発明の電線・ケーブル接続用筐体に係る一実施形態の斜視図であって、その（Ａ）が開閉蓋部を取り除いた状態を示し、その（Ｂ）が開閉蓋部を取り付け固定した状態を示している。
【００２５】
本発明に係る電線・ケーブル接続用筐体１０（以下単に「筐体」という。）は、先ず、本体部１１と、この本体部１１に着脱自在に取り付け固定できる開閉蓋部１２とを有し、後者を前者に固定することにより、その全体の外観は箱体形状を呈する。
本体部１１と開閉蓋部１２とを相互に固定した状態において、入力ケーブル（入力線）５３が筐体１０内に導入される入力口１３と、出力ケーブル（出力線）５４が導出される出力口１４が形成される。
【００２６】
本実施形態では、入力口１３及び出力口１４の隣にそれぞれ１個ずつの開口部１３ｒ、１４ｒを設けているが、これらは予備の開口部であって、他の配線等が必要な際に利用することができるように構成している。従って、これら予備の開口部１３ｒ、１４ｒは、これを設けずに実施することができる。
【００２７】
本体部１１の内部中央には、入力側接続端子と出力側接続端子が多数設けられているが、それぞれ１０個ずつの端子が設けられた入力側端子ブロック２３が１０個、出力側端子ブロック２４が１０個ずつ対称に配列されて設けられている。
それぞれの端子ブロックの構成については、後に詳述するが、これらの入力側及び出力側端子ブロック２３、２４は、それぞれ直方体形状を有し、本体部１１の長手方向の中央線に対して対称に、その長手方向に対して直交する方向に１０個ずつ配列されている。
【００２８】
また、入力側及び出力側端子ブロック２３、２４においては、その本体部１１の長手方向中央線の側が、高い位置となるように設置されており、本体部１１の手前側又は向こう側で配線作業を行い易いように考慮している。
入力ケーブル５３及び出力ケーブル５４は、それぞれその端部部分を切断した状態に描写しているが、これは本発明に係る筐体１０の内部構造を明確化するためである。実際には、これらの入力ケーブル５３及び出力ケーブル５４の導線端末部がそれぞれの入力側及び出力側端子ブロック２３、２４に設けられた略Ｖ字形状の切込溝部に工具を用いて嵌合され、接続されるのである。
【００２９】
本実施形態においては、これら入力側端子ブロック２３及び出力側端子ブロック２４の上端部に設けている切込溝部からなる端子は、各ブロックに一対ずつ１０組設けており、入力側端子ブロック２３及び出力側端子ブロック２４がそれぞれ１０個ずつ設備されているために、合計で２芯線が１００本まで接続できる構成である。
【００３０】
図２は、対称に配置された入力側端子ブロック及び出力側端子ブロックの１組の平面図である。
図中、Ｓは、本体部の長手方向中心線を示し、中心線Ｓの上方に位置するのが入力側端子ブロック２３であり、中心線Ｓの下方に位置するのが出力側端子ブロック２４である。中心線Ｓが、両端子ブロック２３、２４の対称線となる。
【００３１】
それぞれの端子ブロック２３、２４の長手方向両側の上端部２３ｕ、２４ｕには、この図では明瞭に見て取れないが、略Ｖ字形状の切込溝部が一対ずつ両側に各５個ずつ、合計１０個形成されている。
【００３２】
図中、「Ａ１Ｂ」から「Ａ１０Ｂ」と表示している部分は、接続端子の部分を示しており、それぞれの部分に２つの切込溝部が形成され、即ち、一対の電線が１本ずつ各番号「１」から「１０」まで１０本接続できることを示している。それぞれの「Ａ」「Ｂ」が示すのは、各一対の電線のそれぞれを接続する部位を示しているのである。
【００３３】
このようにして、入力ケーブルと出力ケーブルとが、これら入力側端子ブロック２３と出力側端子ブロック２４のそれぞれの接続端子である切込溝部にその導線端末部を嵌合させるだけで簡単に切断されたケーブルを接続することが出来ることと成るのである。
図中２５は、内部配線を示しており、この内部配線２５により入力側及び出力側端子ブロック２３、２４のそれぞれの同じ符号「Ａ１Ｂ」から「Ａ１０Ｂ」の接続端子が相互に接続されているのである。
【００３４】
図３は、本発明の上記実施形態に係る１つの端子ブロックを図示した斜視図である。
入力側端子ブロック２３及び出力側端子ブロック２４は、その何れも同じ構成であって、この図３に記載のものから成る。
この図からよく解る通り、入力又は出力ケーブルの束は、矢印Ｄの方向から導入されて、端子ブロック２３の内部に導入される。
【００３５】
そして、ケーブルの束のそれぞれの導線端末部は、端子ブロック２３の長手方向両側の上端部２３ｕ、２３ｕに列設された多数の切込溝部２６に嵌合され、接続されるのである。
この実施形態では、この切込溝部２６は、それぞれの側に２０個ずつ設けられている。
【００３６】
この切込溝部２６は、後の図４にて更に説明するが、側面視略Ｖ字形状に形成されており、この切込溝部２６内に上方からケーブルの導線端末部を嵌合させることにより簡単に接続が完了する。
つまり、従来のように、導線端末部同士を手でひねって接続し、その後半田付けを行う作業が全く不要となるのである。
【００３７】
更に、この端子ブロック２３には、蓋部３０が設けられている。
この蓋部３０は、端子ブロック２３の上端面のほぼ全体を被覆できる長方形の合成樹脂製プレートから形成されており、その一方の端部で、端子ブロック３０の短辺側端部と枢着されている。
【００３８】
即ち、蓋部３０の一方の端部３１の両端に突起部を設け、この両突起部に対応する端子ブロック２３の部位に凹部が形成され、相互に嵌合させることにより蓋部３０は、端子ブロック３０の一方端部で開閉自在に枢着されている。
蓋部の他方の端部３２も全く同一の構成であって、この端部３２の両端に形成された突起部３２ｔが端子ブロック２３の対応する位置に設けられた凹部と嵌合することにより、蓋部３２は端子ブロック２３の上端部を被覆し、閉鎖することができる。
【００３９】
このように、蓋部３０の両端部の構成を同一にしたことにより、蓋部３０は、端子ブロック２３の何れか一方の短辺の端部に枢着することができるように形成されている。
このような構成により、この端子ブロックは、入力側及び出力側の何れの側においても使用可能となる。
尚、蓋部３０の長手方向両側には、下方に延長する延長部３３、３３が設けられ、これらの延長部３３、３３が端子ブロック２３の長手方向両側の上端部の側面と接合し、相互に堅固に嵌合される構成としている。
【００４０】
図４は、前図３のＥ部の拡大側面図である。
この図から端子ブロック２３の上端部に設けられた略Ｖ字形状の切込溝部２６の形状を見て取ることができる。
即ち、この切込溝部２６は、入力側及び出力側のそれぞれの接続端子２７に設けられているものであって、正面視略Ｖ字形状を有しており、更に、その切込溝部２６の下端部分は、同一幅の溝部２６ｍから形成されている。
【００４１】
より詳しくは、合成樹脂製の櫛型形状の枠体部分に、導電性金属から形成された略Ｖ字形状の切込溝部２６とその下端部の一定幅の溝部２６ｍを有する接続端子２７、２７が保持された構成である。
これにより、ケーブルの導線端末部ｃが上記溝部２６ｍ内に強制嵌合されて、接続端子である溝部２６ｍに導線端末部ｃが接続されるのである。
【００４２】
この際に、上記溝部２６ｍの幅を、ケーブルの導線端末部ｃの外径よりも小さく設定している。
これにより、ケーブルの導線端末部ｃを前記溝部２６ｍに強制嵌合するだけで接続が完了する。
尚、この嵌合接続の際には、工具により行うのであるが、この嵌合接続の際に、ケーブルの導線端末部ｃの余分な部分は当該工具により切断できるのである。
【００４３】
尚、ここで、従来の作業方法による修復作業時間と本発明に係る筐体を用いて修復作業を行った実験結果を示すと、上記１００本のケーブルの接続に際して、従来の手びねり・半田付け作業では、熟練作業者が行った場合であっても、約１３０分を要したのに対して、本発明に係る筐体を利用して、熟練作業者によらずに接続作業を行った場合であっても、約７０分で完了し、約半分の時間で接続修復作業が完了したのである。
これにより、作業時間の短縮化並びに作業効率の向上が実証されている。
【００４４】
以上、一実施形態について説明したが、本発明においては以下の通り種々設計変更することができる。
先ず、本発明においては、事故による断線の場合ばかりでなく、必要に応じて電線・ケーブル等を接続する必要のある箇所において適宜使用することができるものである。
【００４５】
筐体の本体部及び開閉蓋部のサイズ、材質等は、適宜必要に応じて設計変更することができる。要は、本体部と開閉蓋部によって、内部空間部が設けられ、この内部空間部に入力側接続端子と出力側接続端子を構成する入力側端子ブロックと出力側端子ブロックが配設できればよいのである。
開閉蓋部は、本体部の一方の側縁部に枢着することも自由であり、分離できる構成とするのも自由である。
【００４６】
本体部に開閉蓋部を閉鎖して固定した状態で、入力口と出力口がそれぞれ１個ずつ設けられていればよく、その他の配線等用の開口部を設けることは自由である。
入力側接続端子及び出力側接続端子を構成する入力側端子ブロックと出力側端子ブロックとは、同じ構成、同じ形態を有しており、これらそれぞれのブロックに設ける接続端子（切込溝部）の数も自由に設定することができる。
【００４７】
上記実施形態では、それぞれの端子ブロックの上端部に一対ずつ、１０個の接続端子を設けたが、単に１本ずつ１０個の接続端子の形態でもよい。
それぞれの接続端子は、上記実施形態にあるように、略Ｖ字形状の切込溝部から形成され、しかも、その切込溝部の下端部には一定幅の溝部が形成され、この溝部内に接続されるケーブルの導線端末部が嵌合する構成である。
従って、一定幅の溝部の幅は、ケーブルの導線の外径よりも小さいことが必要となる。
これにより強制嵌合を行うのみで、接続が完了するからである。
勿論、ケーブルの導線端末部をＵターンさせて、２つの切込溝部に嵌合させて接続させることも可能である。
【００４８】
端子ブロックの上端部には、上記実施形態においては蓋部を設けているが、この蓋部は、これを設けずに実施することもできるが、端子ブロック内に配線されるケーブルの収納、何らかの原因によるケーブルの導線端末部からの飛び出し等を考慮すれば、この蓋部を設けることは極めて望ましい。
【００４９】
蓋部は、端子ブロックの長手方向の何れかの一方端部に枢着した構成であるが、この蓋部の両端部には、回動軸方向の両側に突起部が設けられて、端子ブロックの対応する位置には凹部を設けて相互に嵌合させた構成である。
従って、蓋部を閉鎖すると、これら両突起部が端子ブロックの凹部と嵌合して閉鎖状態を維持することができる。
【００５０】
このように、蓋部はその両端部が同一構成を有しているために、その何れの側においても端子ブロックと枢着される。このために、この端子ブロックは、入力側及び出力側の何れの側においても、利用することができ、本体部の中央対称線の側の端子ブロックの端部側にそれぞれ枢着することができるのである。
【００５１】
入力側及び出力側端子ブロックは、上記実施形態のとおり、その本体部の中央対称線の側が高くなるように設置しているが、この高さは自由に設定することができる。
しかし、この高さは、作業効率を考慮すれば、あまり高く設定することは望ましくなく、入力側及び出力側共に端子ブロックの上端面の傾斜角度を略２０度から４５度程度までの範囲内にするのが好適である。
【００５２】
接続端子の切込溝部の深さも自由に設定することができ、とりわけその下端部の一定幅の溝部の深さは適宜必要に応じて設定することができるが、この部分がケーブル導線端末部と接続する部分であるため、適宜所定の長さ以上の深さに形成することが望ましい。
【００５３】
以上、本発明は、比較的簡易な構成からなる箱体形状の断線ケーブル用の接続用筐体を提供することができたが、これにより、熟練技能者によらずに、簡単に断線したケーブルの導線端末部を筐体内部の接続用端子に嵌合させるだけで容易に断線ケーブルの復旧作業を行うことができることとなるものである。
【符号の説明】
【００５４】
１０  電線・ケーブル接続用筐体
１１  本体部
１２  開閉蓋部
１３  入力口
１４  出力口
２３  入力側端子ブロック
２３ｕ、２４ｕ  上端部
２４  出力側端子ブロック
２６  切込溝部
２６ｍ  溝部
３０  蓋部
５３  入力ケーブル
５４  出力ケーブル
【図１】
0005907773.tif 000002
【図２】
0005907773.tif 000003
【図３】
0005907773.tif 000004
【図４】
0005907773.tif 000005